(57)【要約】      （修正有）【課題】改良したシャワーヘッドガス注入技術を有するプラズマ反応器を提供する。【解決手段】ＲＦプラズマ反応器３０は、反応器槽を含み、その中の１対の電極は、間隔をあけて向き合って配置されてその間にプラズマ放電空間３６が規定される金属表面からなり、金属表面のうち少なくとも１つは、貫通する多数のガス給送開口部４４を有する金属表面のプレート４０であり、ガス給送開口部４４は、プラズマ放電空間３６に面するプレート４０に沿って延在する分散室から、金属表面を通って、プラズマ放電空間３６に向かい、それにより分散室は、プレート４０に向き合って離れた後壁３１を有し、かつ多数のガス注入開口部５０を備えたガス注入構成４８を含み、これは後壁３１に沿って分散され、かつ反応器への少なくとも１つのガス給送線に接続される。【選択図】図２
2010067615.tif 000002
【特許請求の範囲】
【請求項１】
プラズマ反応器であって、反応器槽を含み、その中の１対の電極は、間隔をあけて向き合って配置され、かつその間にプラズマ放電空間が規定される金属表面からなり、前記金属表面のうち少なくとも１つは、貫通する多数のガス給送開口部を有する金属表面のプレートであり、前記多数のガス給送開口部は、前記放電空間に面する前記プレートに沿って延在する分散室から、前記金属表面を通って前記放電空間に向かい、前記分散室は、前記プレートに向き合って離れた壁を有し、かつ、前記壁に沿って分散されて前記反応器への少なくとも１つのガス給送線に接続される多数のガス注入開口部を備えたガス注入構成を含む、プラズマ反応器。
【請求項２】
前記ガス注入構成は、前記壁に沿って分散され、かつ前記プレートに向けられる多数のガス注入開口部を含み、前記ガス注入開口部の少なくともいくつかは、共通のガス給送線に接続され、前記ガス給送線と前記ガス給送線に接続される前記注入開口部の少なくとも大部分との間のガス流れ抵抗係数は、少なくとも実質的に等しい、請求項１に記載のプラズマ反応器。
【請求項３】
前記プレート内に存在し、かつ前記プレートの外縁部の近傍に配置される前記ガス給送開口部の少なくともいくつかは、前記プレートにおいて前記プレートの外縁部からより離れて位置決めされる前記ガス供給開口部よりも小さな直径を有する、請求項１または請求項２に記載の反応器。
【請求項４】
前記プレートを貫通する前記ガス給送開口部の少なくとも一部は、取外し可能な流れ抵抗係数増加インサートと協働する、請求項１から請求項３のいずれかに記載の反応器。
【発明の詳細な説明】
【技術分野】
【０００１】
この発明は一般的には、ＲＦ、ＲＦおよびＤＣ、またはパルス化されたＲＦによって電気が供給されたプラズマで動作されるプラズマ反応器のプラズマ放電空間への、いわゆるシャワーヘッドガス注入技術に関する改良に向けられる。したがってこれは、放電エネルギがマイクロ波結合または誘導電界を介して導入される他の反応器とは対照的である、ＲＦエネルギが容量性平板状構成の１対の電極を介して放電空間に結合される平行平板型反応器に向けられる。
【背景技術】
【０００２】
そのような容量結合プラズマ反応器を一般に用いて、少なくとも一度に１つの基板をプラズマグロー放電の処理作用に晒す。多様なそのようなプロセスが知られており、用いられて基板表面の性質を変更する。プロセスと、特に反応器のグロー放電空間内に注入されるガスの性質とに応じて、半導体の表面の特性を変更し、そこに薄膜を与えるかまたはそこから材料を除去することが、特に選択的に除去することが、可能である。
【０００３】
基板は平面であっても、またはたとえば車の風防ガラスのように湾曲していてもよい。そのような場合には、その間にプラズマ放電空間が規定される電極は、同一面ではなく対応して平行に湾曲して配置されるために、基板の湾曲した表面と電極との距離は基板の表面範囲にわたって実質的に一定であり得る。
【０００４】
本出願はプラズマ反応器について記載するが、これはクレームに記載するプラズマ反応器によって行なわれるプロセスステップによって基板を製造するための、異なった発明の方法を十分に説明する。そのような製造プロセスは、特に半導体ウェハと、メモリ装置のためのディスクと、フラットディスプレイパネルと、窓ガラスと、網または箔とに向けられる。
【０００５】
電界のＲＦ成分によってプラズマ放電が生成される、真空槽内で行なわれる基板の表面処理のためのプロセスとして、ＰＶＤ、ＰＥＣＶＤ、反応性イオンエッチング、イオンプレーティングなどのプロセスが、周知である。
【発明の概要】
【発明が解決しようとする課題】
【０００６】
図１に、「シャワーヘッド」ガス注入口を備えたＲＦプラズマ反応器に対して一般に用いられる設計を概略的に示す。従来のＲＦプラズマ反応器は、ポンピングポート３を備えた反応器槽１を含む。反対側に配置され、間隔をあけた金属表面４および６はプラズマ放電電極であって、同時にプラズマ放電空間８を規定する。２つの電極表面４と６との間には、少なくともＲＦ成分によってプラズマ放電供給電界Ｅが与えられる。
【０００７】
プラズマ放電電極表面４、６のうち少なくとも１つには、多数のガス給送開口部１０が設けられており、それぞれの電極はプレート１１の表面である。そのプレート１１の背面のプラズマ放電空間８に関しては、後壁１４と側縁壁１６とを備えた貯蔵室１２が設けられる。貯蔵室１２の範囲に対して中央には、ガス注入開口部と給送線１８とが設けられる。ガス給送開口部１０と開口部１８以外では、貯蔵室１２は密封される。
【０００８】
貯蔵室１２を包含する境界の金属壁とプレートとは、中央の電気給送線２０によってプラズマ放電供給電気エネルギを付与される。反応器槽１は通例電極表面４と同じ電位では動作されず、特にフルのＲＦ電力では動作されないが、通例接地電位での基準電位で動作
され、貯蔵室１２の全体は、概略的に示されるように電気的に絶縁された支持部と貫通部２２とによって電気的に絶縁された態様で反応器槽１内に搭載される。中央に配置されるガス給送線１８は、同様に通常は電気的に絶縁するコネクタ２６を介して、通常は接地される反応器槽１へのガス供給線２４に接続される。
【０００９】
貯蔵室１２の電極表面４とプレート１１との中のガス給送開口部１０は、小さなガスのコンダクタンスを、したがって高いガス流抵抗因子を有するために、中央から注入ガスを与えられる、分散および均圧室として作用する貯蔵室１２の内容量は、ガス給送開口部１０を通して、多くは電極表面４に沿いプラズマ放電空間８内へ可能な限り均一に分散する、良好に制御された所望の態様で、ガスを給送する。図１に示すように反応器の全体に与えられるガスは、（管２４から給送線１８において）大きな電位の変化を受ける。それにより、この高い電位差が起こる領域、すなわちコネクタ２６における条件は、その中での所望でないプラズマ放電の発生を回避することが非常に重要である。
【００１０】
この既知の構成のさらなる欠点は、第１にその遅い反応時間である。貯蔵室１２の内容量をより大きくして、プレート１１に沿って均一なガス分散と一定の圧力とを供給しなければならない場合、比較的高い圧力でより大量のガスがこの貯蔵室１２内に蓄積される。こうして、もし処理中にガスの組成や出流量を変更したければ、プラズマ放電空間において考慮すると、そのような変化は、所望の安定した新しく確立されたガス組成および／または出流量に達するまでに、大きな時間定数を伴うより制御されない遷移相の間に起こるであろう。
【００１１】
さらに、反応器で処理プロセスを始める前に、貯蔵室１２の容量は真空ポンピングによって空にされなければならないが、これはそれぞれの体積が大きければ大きいほど、より時間がかかる。これは特に、容量１２が小さな低コンダクタンスの開口部１０のみを介して槽のポンピングポートに接続されているということを考慮すると、脱気壁を含めた反応器全体の前処理調整の時間が長くかかる。それでも、低コンダクタンスのガス給送開口部１０および貯蔵室１２の大きな容量によって、この技術はたとえば均一な分散のような、電極表面４に沿ったガス出流量分散の十分な制御をもたらす。プラズマ放電空間に接する電極表面４に沿ったガス給送開口部１０の密度を変化させることにより、特定の必要性に応じて、ガス分散を容易に調整することができる。
【００１２】
この発明の一般的な目的は、図１に主に示すＲＦ反応器のシャワーヘッドを改良することであり、それによりこの利点を維持する。ＲＦ反応器という用語は、プラズマ放電が電気エネルギの少なくともＲＦ成分によって電気的に与えられる反応器を意味すると理解する。
【課題を解決するための手段】
【００１３】
この発明の第１の局面においては、この目的はＲＦプラズマ反応器によって解決されるが、該反応器は、反応器槽を含み、その中の１対の電極は、間隔をあけて向き合って配置されてその間にプラズマ放電空間が規定される金属表面からなり、金属表面のうち少なくとも１つは、貫通する多数のガス給送開口部を有する金属表面のプレートであり、該多数のガス給送開口部は、放電空間に面するプレートに沿って延在する分散室から、金属表面を通って、放電空間に向かい、それにより分散室は、プレートに向き合って離れた後壁を有し、かつ多数のガス注入開口部を備えたガス注入構成を含み、これは後壁に沿って分散され、かつ反応器への少なくとも１つのガス給送線に接続される。
【００１４】
こうして、および図１に従った周知の技術とは対照的に、この発明で提供される分散室へのガス注入は局所ではなく、多数のガス注入開口部を介して行なわれる。大きな容量の圧力均等化に関する分散室自体への要件が、図１に従った教示に比較して顕著に減じられ
るという利点をもたらす。すなわち分散室の容量を顕著に減じることができ、これはプラズマ放電空間へのガス流および／またはガス組成を変化させるときの反応時間を顕著に向上させる。
【００１５】
上述の目的は、ＲＦプラズマ反応器によってこの発明の第２の局面の下に解決されるが、該反応器は、反応器槽を含み、その中の１対の電極は、間隔をあけて向き合って配置されてその間にプラズマ放電空間が規定される金属表面からなり、金属表面のうち少なくとも１つは、これを通って放電空間に面するプレートに沿って延在する分散室から放電空間に向かう多数のガス給送開口部を有する金属表面のプレートであり、分散室は、プレートに向き合いかつ離れたガス注入構成を備えて、さらにプラズマ放電電極である２つの金属表面への電気エネルギ給送構成を備えた、後壁を有し、実質的に放電空間に接する後壁とプレートとはさらに互いから電気的に絶縁される。それにより、いずれの電位差も、特に大きなプラズマ供給電位差の場合、プレートと分散室の後壁との間に与えられることができ、それにより後壁は直接的に槽壁の一部となり、それぞれの電極表面に与えられる電位から独立して、たとえば一般には接地電位である基準電位で、望みの電位に駆動することができる。
【００１６】
これにより、一方ではガス給送線に沿った危険な高電位差は、回避されかつ分散室にわたって扱いがより容易になる。さらに、図１に従った既知の技術の２２に設けられる、反応器内の貯蔵室全体の、電気的に絶縁されたサスペンションをなくすことにより、反応器全体の構成は顕著に簡略化される。
【００１７】
上述の目的は、この発明の第３の局面においてＲＦプラズマ反応器によってさらに解決されるが、該反応器は、反応器槽を含み、その中の１対の電極は、間隔をあけて向き合って配置されてその間にプラズマ放電空間が規定される金属表面からなり、金属表面のうち少なくとも１つは、貫通する多数のガス給送開口部を有する金属表面のプレートであり、該多数のガス給送開口部は、放電空間に面するプレートに沿って延在する分散室から、金属表面を通って、放電空間に向かい、それにより分散室は、プレートに向き合って離れた後壁を有し、かつガス注入構成を含み、さらに、少なくとも１つの格子部材がプレートに沿って離れて分散室内に配置され、少なくとも１つの格子部材は、後壁とプレートとから電気的に絶縁される。
【００１８】
一般的に格子という用語は、穿孔が貫通するプレート状の材料構成であると理解する。よって、格子はより網状の構造から、少ない穿孔を備えた剛性のあるプレートまでにわたって、実現化されてもよい。
【００１９】
たとえば電気伝導性材料である、そのような格子部材によって分散空間を２つ以上の副空間にさらに分割することにより、プレートと後壁との間のいずれの電位差も副空間の各々をわたって小部分にさらに分割される。これにより、分散室内のスプリアスプラズマ放電生成について注意しながら、スプリアスプラズマ発火の危険を冒すことなく、副空間の高さを、すなわち分散室の高さを増すことが可能になる。これは、実際に完全なプラズマ放電電位差が分散室にわたって与えられたときに、特に真である。実際に、プレートと分散室に接する後壁との間のスプリアスなキャパシタンスが減じられる。さらに、上述のように格子部材を備えると、分散室に沿ったガス圧力分散と均一性とを、格子部材が電気伝導性材料であるか誘電性材料であるかにかかわらず、向上させる。
【００２０】
上述の一般的な目的は、ＲＦプラズマ反応器によってこの発明の第４の局面においてさらに解決されるが、該反応器は、反応器槽を含み、その中の１対の電極は、間隔をあけて向き合って配置されてその間にプラズマ放電空間が規定される金属表面からなり、金属表面のうち少なくとも１つは、貫通する多数のガス給送開口部を有する金属表面のプレート
であり、該多数のガス給送開口部は、放電空間に面するプレートに沿って延在する分散室から、金属表面を通って、放電空間に向かい、分散室は、プレートに向き合って離れた後壁を有し、さらに壁は、プレートの外縁部に向かって、かつこれを超えてこれから離れて延在する側縁部分を含み、分散室は、開口部構成によって側縁部分とプレートの外縁部との間の空間に通じており、該開口部構成は、プレートに実質的に平行であって、かつ壁の側縁部分に鉛直に延在する。
【００２１】
一方では、付加的な量のガスがプラズマ放電空間にその外縁部境界領域で給送される。反応プロセスにおいては、通例より多くのガスを、プラズマ放電の外縁部においてより多くの反応性ガスを消費するために、このより多くのガスが補償される。よってプレート内の、および金属電極表面を通る、表面領域ごとのガス注入開口部の密度は、技術的な努力と製造費との要件から無制限には増加できないために、上述の外縁部ガス給送が、プラズマ放電空間への外縁部ガス流を増加させるための最も簡単な技術である。
【００２２】
さらに考慮されなければならないのは、この発明によって提供されるプレートの外縁部から離れて設けられる壁の縁部分によって、プラズマ放電空間への注入チャネルが形成されることである。もし電位差がプレートと壁との間に与えられると、この電位差はプレートの外縁部から壁の縁までの該空間をわたっても存在するであろう。驚くべきことに、縁とプレートの外縁部との間のスプリアスなプラズマ放電の発火は、たとえばプレートのガス給送開口部におけるものよりも、または一般的に言って、「単一電位」電極環境におけるものよりも、はるかに危険が少ない。
【００２３】
好ましい実施例においては、４つのプラズマ反応器の特徴は、この発明とそれらの４つの局面とに従い、該反応器のそれぞれ２つの該反応器の特徴であっても、３つの該反応器の特徴であっても、すべての４つの該反応器の特徴であっても、創意工夫をもって組合されて、さらにこの創意工夫のある反応器を提供する。
【図面の簡単な説明】
【００２４】
【図１】「シャワーヘッド」ガス注入口を備えた、ＲＦプラズマ反応器のための、広く用いられる設計を示す概略図である。
【図２】好ましい態様で、この発明のすべての意義のある局面を組合せる、この発明の製造方法を行なうためのこの発明のＲＦプラズマ反応器の概略図である。
【図３】この発明の反応器槽の分散室にガスを注入するための好ましいガス分散構成の概略図である。
【図４】この発明の反応器において、ガス給送開口部を製造するため、およびそれらの流れ抵抗を制御するための、好ましい３つの選択肢のうちの、１つを示す図である。
【図５】この発明の反応器において、ガス給送開口部を製造するため、およびそれらの流れ抵抗を制御するための、好ましい３つの選択肢のうちの、１つを示す図である。
【図６】この発明の反応器において、ガス給送開口部を製造するため、およびそれらの流れ抵抗を制御するための、好ましい３つの選択肢のうちの、１つを示す図である。
【発明を実施するための形態】
【００２５】
この発明を、その局面のすべてにおいて図によって、および当業者が上述の説明を検討してこの発明をさらに良好に理解するために必要なだけ、例示する。
【００２６】
図２において、好ましい態様のＲＦプラズマ反応器を概略的に示す。それ自体がこの発明に設定された目的を解決する４組の特徴のすべてが組合され、それにより、上述のようにこれらの特徴の組の各々がそれ自体本発明において意味があると考えられる。
【００２７】
ＲＦ反応器３０は、上壁３１と、底壁３２と、側壁３４とを含む。第１の電極表面３１
は、金属プレート４０の表面によって形成され、プラズマ放電空間３６に向けられる。この実施例においては、第２のプラズマ放電電極は特に、底壁３２の金属上面４２によって形成される。
【００２８】
プレート４０においては、分散室４６からプラズマ放電空間３６に向けられる多数の開口部４４が設けられる。ガス注入構成４８は、ガスを分散室４６に給送し、ここからこれは開口部４４を通ってプラズマ放電空間３６に放出される。
【００２９】
１  反応器外部から分散室４６へのガス注入構成４８の好ましいレイアウト
ガス注入構成４８は、予め定められた所望のパターンに分散される多数の注入開口部５０を含み、好ましくはこれらの多くは、分散室４６に対しては後壁として規定される上壁３１の表面に沿って均一に分散する。ツリー状構造において、開口部５０は中央ガス注入線５２と連通し、それにより、配管ツリーの５４、５６、５８の「ブランチ」の各々においては、開口部５０の各々とガス注入管５２との間の流れ抵抗が予め定められた値を有し、かつ好ましい態様であって少なくとも開口部５０の大部分においては、等しい値を有するように、流れ抵抗は選択される。単一のガス注入口から多数ガス排出口への、そのようなツリー状の分散線のシステムの構築自体については、たとえば本願と同出願人の米国特許第５，６２２，６０６号を参照する。
【００３０】
多数のガス注入開口部へのそのような縦続またはツリー型給送により、これを通って給送される処理ガスの組成の変更を瞬時に実現することができる。多数の開口部５０への給送を縦続する原理は、ガスを所与の数の予め定められた、好ましくは等しい、副流に分割することに基づく。分割するプロセスは、図２のブランチレベル５４から５８によって何度か繰返され、初期の流れを多数の副流に分割する。ツリー構造は開口部５０の所望のパターンに従って構築されるが、後者はプラズマ放電に晒される製品の形に応じて、それが方形であっても、円形であっても、適合されることが好ましい。図３においては、たとえば注入線５２と開口部５０との間の接続線のそのようなツリー構造の例を斜視図で示す。
【００３１】
分散室４６へのガス注入は、室４６に接する壁または後壁３１の表面に沿って分散される多数のガス注入開口部５０を通して実現されることから、プレート４０を通るプラズマ放電空間３６へのガス流制御の顕著な向上が達成される。これは、容量と特に分散室４６の高さＸの選択における顕著に向上した自由度を可能にする。図２に示すように、および好ましい態様においては、給送線の縦続は、この実施例においては室４６の後壁としての役割を果たす、この発明の反応器の上壁３１に一体化される。
【００３２】
２  電気給送
図２に示すように、プレート４０は、分散室４６の後壁３１から電気的に絶縁されて搭載されるが、この後壁は好ましくは反応器槽３０の直接的な上壁である。これは、たとえば絶縁スペーサまたは絶縁スペーサリング６０によって実現化される。こうして、および６２において概略的に示すように、電気エネルギは別個の電力給送を介して金属プレート４０と一方の電極表面３８とに給送され、これはスペーサ６０を通すか、または示すように、反応器槽３０の側壁３４などを通して実現化されてもよく、プラズマ放電にどのように電気エネルギを給送するかにおいて、大きな自由度を残す。
【００３３】
図２において、横向きに配置されたＲＦ給送を示す。特により大きな設備に対しては、中央給送が好ましい。これにより、１つ以上の給送線の中央ＲＦ給送が、上壁３１、分散室４６を通って金属プレート４０に給送される。
【００３４】
分散室４６の後壁３１は、これにより、電極表面３８に与えられる電位から電気的に独立して、いずれの所望の電位においても動作することができる。こうして、分散室４６の
後壁３１を、好ましい実施例においては基準電位で、特に接地電位で動作することが可能になり、これにより該後壁３１がプラズマ反応器槽の直接的な壁であることが実現化される。これは、この壁と縦続接続された注入開口部５０へのガス給送構造とを一体化させることを考慮した場合に最も有利であるが、ここで全体の流れ分割システムは接地電位であって、よってガスを外部から反応器槽３０に給送する給送管５２と等しい電位である。分散室４６を区切る壁は、独自の電位にはなく、フルのプラズマ放電が電位を供給する場合の、異なった電位にある。特に分散されたガス注入開口部５０によって、分散室内に広がるガス圧力を顕著に減じることが可能になり、分散室内のスプリアスなプラズマ発火の発生が、その高さＸに到達した場合においても回避される。
【００３５】
３  格子
図２に示し、この発明の反応器槽の好ましい実施例による、１つ、２つまたはそれ以上の格子部材６４が、分散室４６に沿ってその中に、プレート４０に実質的に平行に搭載される。これらの格子部材は、後壁３１とプレート４０との両方から電気的に絶縁されて搭載される。これらは電気伝導性材料であっても、誘電性材料であってもよい。もし電気的に伝導的に構築されると、それらは浮動電位で動作される。これは、電気伝導性格子部材６４に対する適切な絶縁マウント（図示せず）によって実現化される。
【００３６】
これらの格子は２つの有利な効果を有する。
一方では、それらの電気的浮動、または絶縁マウントおよびそれらの電気伝導性にかかわらず、それらはプレート４０の分散室側に沿ったガス圧力の均一性を、こうしてプラズマ放電空間３６へのガス給送分散の均一性を、顕著におよび付加的に向上させる。
【００３７】
より正確には、電気的に浮動する格子の存在は、室４６内の空間におけるプラズマの発火の危険を冒すことなく、室４６の距離合計ｘを増すことが可能になる。それにより、横方向のガスコンダクタンスの全体が増大し、よって横方向のガス拡散も増大する。
【００３８】
さらに、電気的に浮動する格子を、これを貫く限定された数の孔を備えたより電気的に浮動するプレートの形で実現化することは、図２に示すように、実際にプレート３１内で大域的に縦続接続するマニホールドが室４６内で連続しかつ通過することにより、ガスの組織的な、良好に制御された分布に貢献する。
【００３９】
他方では、伝導性材料によって起こる電気的要件下で、これらはプレート４０の電位と後壁３１の電位の間の電位を負う。こうして、特にプレート４０と後壁３１とが相互に電気的に絶縁される実施例においては、もし電位差を生成するプラズマが分散室４６にわたって与えられると、結果として生じる副室４６ａ、４６ｂおよび４６ｃの中にその分割された電位差が生じる。
【００４０】
所与のガス圧力で、およびそのような空間を区切る電気導電性壁の間の所与の電位差での場合、スプリアスなプラズマの発火の傾向は、スプリアスな電極として作用する電気導電性壁の間の距離が広がるにつれて増大し、減じられた電位、すなわち全体の電位差の小部分で動作される副室４６ａ、ｂ、ｃの各々は、高さを増すことができ、こうして放電空間４６の全体が、スプリアスなプラズマ発火の危険を冒すことなく、高さＸを増すことができる。
【００４１】
要約すると、分散室での電気的導電部分の間隔に関しては、格子部材および／またはプレートまたは後壁であっても、２つの矛盾する要件が存在することを考慮しなければならない。スプリアスなプラズマ放電生成を防ぐためには、間隔Ｘは、所与の圧力およびその間に与えられる所与の電位差で、できるだけ狭くなければならないのに対し、ガス給送開口部５０に沿った圧力均一化の見地からは、そのような間隔Ｘはできるだけ広くなるよう
調整されなければならない。この発明は、以下の特徴を提案する。
【００４２】
・開口部５０によって分散された、ガス注入口。
・格子、後壁およびプレートなどの、互いに直接面する電気伝導性表面の電気的に絶縁されたマウント。
【００４３】
これらは、分散室の範囲を適合するための、高い構築上の柔軟性をもたらし、それにより、同時にスプリアスなプラズマ生成の傾向を増大させることなく、その室の均一化の効果を特に増大させることができる。
【００４４】
４  プラズマ放電空間への外縁部ガス注入
図２に示すように、およびこの局面において、この発明の２つの尺度を提供する。プレート４０からプラズマ放電空間３６へのガス給送開口部４４の分散に関しては、表面領域ごとに与えられるそのような開口部４４の密度は、プレート４０からその外縁部Ｐに向かって伝播する場合には、増大させる。どのようにそのような開口部を実現化し、どのように表面領域ごとのそれらの密度を均等に変化させるかについての特に有利な技術を、図４から図６を参照して以下に説明する。
【００４５】
プレート４０の外縁部Ｐに向かって広がるにつれてガス給送開口部４４の表面領域ごとの密度を増大させる代わりに、またはそれに加えて、以下のように、放電空間４６からプラズマ放電空間３６への付加的な開口部構成６６を設ける。
【００４６】
その一面で放電空間４６に接する後壁３１が縁部分６８に設けられるが、これは明確に別の部品であって、好ましい態様においては、反応器槽の側壁３４によって実現化することができる。この縁部分は、プレート４０の外縁部Ｐに向かって、かつこれを超えてそれらから離れて延在する。それにより、流れチャネル７０がプレート４０全体を取囲んで形成される。
【００４７】
開口部構成６６は、プレート４０に実質的に平行に、かつ縁部分６８に実質的に鉛直に延在し、チャネル７０を介して、分散室４６とプラズマ放電空間３６との間に連通を確立する。これにより、およびチャネル７０の狭い間隔によって、プレート４０と縁部分６８との間に高い電位差が存在した場合にも、その中ではスプリアスなプラズマ放電は発火しない。
【００４８】
これらの尺度（プレートの外縁部に向かって開口部４４の密度を増大させることおよび／またはプレートの外縁部のまわりに横向きのガス注入を行なうこと）のうちの１つおよび／または他方によって、プラズマ放電空間３６内の、その外縁部においてはより大きい、ガス消費分散が補償され、たとえば電極表面４２に沿って、図２に従って配置された基板表面上への均一なプラズマ放電効果をもたらす。それにより、プラズマ放電空間３６のごく周辺部までをも用いて製品表面を均一に処理し、事実上反応器の効率性を向上させるという、利点が得られる。
【００４９】
５  プレート４０および貫通する開口部分散の有利な実現化
図４に示すように、プレート４０を通るガス給送開口部４４の最も有利な実現化は、プラズマ放電空間３６に面して存在する、プレート４０のその面に平坦底部孔７２を機械加工することにより行なわれる。そのような平坦底部孔７２は、その上面図において、円形や方形などであってもよく、連続するかまたは限定されない溝型であってもよい。そのような孔７２の底部７４においては、プラズマ放電空間３６への小さな直径の開口部４４が機械加工される。それにより、小さな直径の開口部４４を加工するためには、プレート４０の全体の厚みのごく一部だけが加工される。
【００５０】
それにより、プレート４０が通常ごく厚くなくてはならないことを考慮しなければならない。これは、これがごく限られた装着点のみで吊るされ、かつ頻繁に変化する熱サイクルに晒されることにもかかわらず、そのようなプレートが確実に平坦に保たれなければならないという点での、機械的な安定性に応じるものである。さらに、そのようなプレートに沿った熱伝導性は、変化させる温度にまで急速に、均一な温度分散を到達させなければならない。
【００５１】
それにより、およびそのような窪み、すなわち溝または大きな直径の孔７２のコンセプトに従って、分散室４６からプラズマ放電室４６への流れ抵抗を、図５に示すように、そのような窪みに加えられるインサート７８によって開口部４４で変化させ、かつ正確に調整することが可能である。図４の７２などの窪みのコンセプトに従って、および図６に示すように、プレート４０に沿って開口部の密度を、非常に高密度のおそらくはより直径を減じた開口部４４ａにまで、特にプレート４０の外縁部Ｐへ向かって増大させることは、製造上問題にはならない。
【００５２】
さらにインサート７８によって、その一面が処理プラズマ放電に晒される開口部４４の背面におけるプラズマ発火の危険は減じられる。
【００５３】
図５に示すインサートと、おそらくは非対称形状であるそれぞれの形状とによって、窪み７２に設けられる選択された開口部４４の流れ抵抗を正確に調整し、たとえばプラズマ処理におけるいずれの非均一的な影響を補償することさえも可能であることは自明である。
【００５４】
最後に、この発明に従った反応器の説明において、第１の目的がプラズマ放電空間の全体に沿ったガス分散の均一化を達成することであったとしても、必ずしも均一化を達成するのではなく、より一般的に、良好に制御され、予め定められたガス分散が達成されることが理解されるべきであることを、明記する。
【００５５】
さらに、この説明は当業者に対してそれぞれの製品を製作するための方法を明確に開示するが、それにより反応器のハードウェアの技術とともに説明したように、プラズマ放電に対するガス流および／または電気的条件は、創意工夫をもって設定され、選択される。
【００５６】
添付の特許請求の範囲に規定される発明以外にも、以下の教示それ自体がそれぞれ本発明において意味があると考慮される。
【００５７】
Ｉ．プラズマ反応器であって、反応器槽を含み、その中の１対の電極は間隔をあけて向き合って配置されてその間にプラズマ放電空間が規定される金属表面からなり、該金属表面のうち少なくとも１つは、多数のガス給送開口部を有する金属表面のプレートであり、該多数のガス給送開口部は、貫通して該放電空間に面する該プレートに沿って延在する分散室から該放電空間に向かい、該分散室は、該プレートに向き合いかつ離れた、ガス注入構成を備えた壁を有し、さらに該プラズマ反応器は、該２つの金属表面への電気エネルギ給送構成を含み、該壁と該プレートとは互いから電気的に絶縁される、プラズマ反応器。
【００５８】
ＩＩ．プラズマ反応器であって、反応器槽を含み、その中の１対の電極は間隔をあけて向き合って配置され、その間にプラズマ放電空間が規定される金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつガス注入構成を含み、さらに該プラズマ反応器は、該分散室内
に、該プレートから離れ、かつこれに沿って配置される少なくとも１つの格子部材を含み、該少なくとも１つの格子部材は、該壁と該プレートとから電気的に絶縁される、プラズマ反応器。
【００５９】
ＩＩＩ．プラズマ反応器であって、反応器槽を含み、その中の１対の電極は間隔をあけて向き合って配置され、その間にプラズマ放電空間が規定される金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつガス注入構成を含み、該壁は、該プレートに向かって、かつこれを超えて延在する側縁部分を、該プレートの外縁部に沿って、かつこれから離れて含み、該室は、開口部構成によって該側縁部分と該プレートの外縁部との間の空間に通じており、該開口部構成は、該プレートに実質的に平行であって、かつ該側縁部分に実質的に鉛直に延在する、プラズマ反応器。
【００６０】
ＩＶ．プラズマ反応器であって、反応器槽を含み、その中の１対の電極は間隔をあけて向き合って配置され、その間にプラズマ放電空間が規定される金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつ、該壁に沿って分散されて該反応器への少なくとも１つのガス給送線に接続される多数のガス注入開口部を備えたガス注入構成を含み、該プラズマ反応器はさらに、該２つの金属表面に対して電気エネルギ給送構成を含み、該壁とプレートとは互いから電気的に絶縁される、プラズマ反応器。
【００６１】
Ｖ．プラズマ反応器であって、反応器槽を含み、その中の１対の電極は間隔をあけて向き合って配置されて、プラズマ放電空間を規定する金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつ、該壁に沿って分散されて該反応器への少なくとも１つのガス給送線に接続される多数のガス注入開口部を備えたガス注入構成を含み、該プラズマ反応器はさらに、該分散室内に該プレートと壁とに沿って離れて配置される少なくとも１つの格子部材を含み、該格子部材は該壁と該プレートとから電気適任絶縁される、プラズマ反応器。
【００６２】
ＶＩ．プラズマ反応器であって、反応器槽を含み、その中の１対の電極は間隔をあけて向き合って配置され、その間にプラズマ放電空間が規定される金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつ、該壁に沿って分散されて該反応器への少なくとも１つのガス給送線に接続される多数のガス注入開口部を備えたガス注入構成を含み、該壁はさらに、該プレートの外縁部に向かって、かつこれを超えて延在する側縁部分を含み、これから離れて、該室は、開口部構成によって該側縁と該プレートの外縁部との間の空間に通じており、該開口部構成は、該プレートに実質的に平行であって、かつ該側縁部分に鉛直に延在する、プラズマ反応器。
【００６３】
ＶＩＩ．プラズマ反応器であって、反応器槽を含み、その中の１対の電極は間隔をあけて向き合って配置され、その間にプラズマ放電空間が規定される金属表面からなり、該金属表面のうち少なくとも１つは、多数のガス給送開口部を有する金属表面のプレートであ
り、該多数のガス給送開口部は、これを通って該放電空間に面する該プレートに沿って延在する分散室から該放電空間に向かい、該分散室は、該プレートに対面し、かつ離れた、ガス注入構成を備えた壁を有し、さらに該プラズマ反応器は、該２つの金属表面への電気エネルギ給送構成を含み、該壁と該プレートとは互いから電気的に絶縁され、該プラズマ反応器はさらに、該分散室内に該プレートと該壁とに沿って離れた少なくとも１つの格子部材構成を含み、該格子部材は該壁と該プレートとから電気的に絶縁される、プラズマ反応器。
【００６４】
ＶＩＩＩ．プラズマ反応器であって、反応器槽を含み、その中の１対の電極は間隔をあけて向き合って配置され、その間にプラズマ放電空間が規定される金属表面からなり、該金属表面のうち少なくとも１つは、多数のガス給送開口部を有する金属表面のプレートであり、該多数のガス給送開口部は、これを通って該放電空間に面する該プレートに沿って延在する分散室から該放電空間に向かい、該分散室は、該プレートに対面してガス注入構成を備えた壁を有し、さらに該プラズマ反応器は、該２つの金属表面への電気エネルギ給送構成を含み、該壁と該プレートとは互いから電気的に絶縁され、該壁は、該プレートに向かって、かつこれを超えて延在する側縁部分を含み、かつこれから離れて、該室は、開口部構成によって該側縁部分と該プレートの外縁部との間の空間に通じており、該開口部構成は、該プレートに実質的に平行であって、かつ該側縁部分に実質的に鉛直に延在する、プラズマ反応器。
【００６５】
ＩＸ．プラズマ反応器であって、反応器槽を含み、その中の１対の電極は間隔をあけて互いに向き合って配置され、その間にプラズマ放電空間が規定される金属表面からなり、該金属表面のうち少なくとも１つは、貫通する多数のガス給送開口部を有する金属表面のプレートであり、該多数のガス給送開口部は、該放電空間に面する該プレートに沿って延在する分散室から該金属表面を通って該放電空間に向かい、該分散室は、該プレートに向き合って離れた壁を有し、かつガス注入構成を含み、該プラズマ反応器はさらに、該分散室内に該プレートと壁とに沿って離れて配置される少なくとも１つの格子部材を含み、該格子部材は該壁と該プレートとから電気的に絶縁され、該壁は、該プレートの外縁部に向かって、かつこれを超えて延在する側縁部分を含み、これから離れて、該室は、開口部構成によって該側縁部分と該プレートの外縁部との間の空間に通じており、該開口部構成は、該プレートに実質的に平行であって、かつ該側縁部分に鉛直に延在する、プラズマ反応器。
【００６６】
Ｘ．プラズマ反応器であって、反応器槽を含み、その中の１対の電極は間隔をあけて向き合って配置されて、プラズマ放電空間を規定する金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつ、該壁に沿って分散されて該反応器への少なくとも１つのガス給送線に接続される多数のガス注入開口部を備えたガス注入構成を含み、該プラズマ反応器はさらに、該２つの金属表面に対して電気エネルギ給送構成を含み、該壁と該プレートとは互いから電気的に絶縁され、さらに、該分散室内に該プレートと該壁とに沿って離れて配置される少なくとも１つの格子部材を含み、該格子部材は該壁と該プレートとから電気的に絶縁される、プラズマ反応器。
【００６７】
ＸＩ．プラズマ反応器であって、反応器槽を含み、その中の１対の電極は間隔をあけて向き合って配置されて、プラズマ放電空間を規定する金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れ
た壁を有し、かつ、該壁に沿って分散されて該反応器への少なくとも１つのガス給送線に接続される多数のガス注入開口部を備えたガス注入構成を含み、該プラズマ反応器はさらに、該２つの金属表面に対して電気エネルギ給送構成を含み、該壁と該プレートとは互いから電気的に絶縁され、該壁は、該プレートに向かって、かつこれを超えて延在する側縁部分を含み、かつこれから離れて、該室は、開口部構成によって該側縁部分と該プレートの外縁部との間の空間に通じており、該開口部構成は、該プレートに実質的に平行であって、かつ該側縁部分に実質的に鉛直に延在する、プラズマ反応器。
【００６８】
ＸＩＩ．プラズマ反応器であって、反応器槽を含み、その中の１対の電極は間隔をあけて向き合って配置されて、プラズマ放電空間を規定する金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつ、該壁に沿って分散されて該反応器への少なくとも１つのガス給送線に接続される多数のガス注入開口部を備えたガス注入構成を含み、該プラズマ反応器はさらに、該分散室内に該プレートと該壁とに沿って離れた少なくとも１つの格子部材構成を含み、該格子部材は該壁と該プレートとから電気的に絶縁され、該壁はさらに、該プレートの外縁部に向かって、かつこれを超えて延在する側縁部分を含み、これから離れて、該室は、開口部構成によって該側縁部分と該プレートの外縁部との間の空間に通じており、該開口部構成は、該プレートに実質的に平行であって、かつ該側縁部分に実質的に鉛直に延在する、プラズマ反応器。
【００６９】
ＸＩＩＩ．プラズマ反応器であって、反応器槽を含み、その中の１対の電極は間隔をあけて向き合って配置され、その間にプラズマ放電空間が規定される金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつ、ガス注入構成を有し、該プラズマ反応器はさらに、該２つの金属表面に対して電気エネルギ給送構成を含み、該壁とプレートとは互いから電気的に絶縁され、さらに、該分散室内に該プレートと該壁とに沿って離れて配置される少なくとも１つの格子部材を含み、該格子部材は該壁と該プレートとから電気的に絶縁され、該壁はさらに、該プレートの外縁部に向かって、かつこれを超えて延在する側縁部分を含み、これから離れて、該室は、開口部構成によって該側縁部分と該プレートの外縁部との間の空間に通じており、該開口部構成は、該プレートに実質的に平行であって、かつ該側縁部分に実質的に鉛直に延在する、プラズマ反応器。
【００７０】
ＸＩＶ．プラズマ反応器であって、反応器槽を含み、その中の１対の電極は間隔をあけて向き合って配置され、その間にプラズマ放電空間が規定される金属表面からなり、該金属表面のうち少なくとも１つは、貫通する多数のガス給送開口部を有する金属表面のプレートであり、該多数のガス給送開口部は、該放電空間に面する該プレートに沿って延在する分散室から、該金属表面を通って該放電空間に向かい、該分散室は、該プレートに向き合って離れた壁を有し、かつ、該壁に沿って分散されて該反応器への少なくとも１つのガス給送線に接続される多数のガス注入開口部を備えたガス注入構成を含み、該プラズマ反応器はさらに、該２つの金属表面に対して電気エネルギ給送構成を含み、該壁とプレートとは互いから電気的に絶縁され、該プラズマ反応器はさらに、該分散室内に該プレートと壁とに沿って離れて配置される少なくとも１つの格子部材を含み、該格子部材は該壁と該プレートとから電気的に絶縁され、該壁は、該プレートの外縁部に向かって、かつこれを超えて延在する側縁部分を含み、これから離れて、該室は、開口部構成によって該側縁部分と該プレートの外縁部との間の空間に通じており、該開口部構成は、該プレートに実質的に平行であって、かつ該側縁部分に実質的に鉛直に延在する、プラズマ反応器。
【００７１】
ＸＶ．該ガス注入構成は、該壁に沿って分散され、該プレートに向けられる複数のガス注入開口部を含み、該ガス注入開口部の少なくともいくつかは、共通のガス給送線に接続され、該ガス給送線と、そこに接続される該注入開口部の少なくとも大部分との間のガス流抵抗係数は、少なくとも実質的に等しい、教示Ｉから教示ＸＩＶのいずれかに記載のプラズマ反応器。
【００７２】
ＸＶＩ．該プレート内の、および該プレートの外縁部の近傍に配置された、該ガス給送開口部の少なくともいくつかは、該プレートに、該プレートの外縁部からより離れて位置する該ガス給送開口部よりも大きな直径を有する、教示ＩからＸＶのいずれかに記載のプラズマ反応器。
【００７３】
ＸＶＩＩ．該プレートを貫通する該ガス給送線の少なくとも一部は、取り外し可能な流抵抗係数増加インサートと協働する、教示ＩからＸＶＩのいずれかに記載のプラズマ反応器。
【符号の説明】
【００７４】
３６  プラズマ放電空間、４０  金属プレート、４６  分散室、４８  ガス注入構成、５２  中央ガス注入線。
【図１】
2010067615.tif 000003
【図２】
2010067615.tif 000004
【図３】
2010067615.tif 000005
【図４】
2010067615.tif 000006
【図５】
2010067615.tif 000007
【図６】
2010067615.tif 000008
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
プラズマ反応器であって、反応器槽を含み、その中の１対の電極は、間隔をあけて向き合って配置され、かつ間にプラズマ放電空間が規定される金属表面からなり、前記金属表面のうち少なくとも１つは、貫通する多数のガス給送開口部を有する金属表面のプレートであり、前記多数のガス給送開口部は、前記放電空間に面する前記プレートに沿って延在する分散室から、前記金属表面を通って前記放電空間に向かい、前記分散室は、前記プレートに向き合って離れた壁を有し、かつ前記壁に沿って分散されて前記反応器への少なくとも１つのガス給送線に接続される多数のガス注入開口部を備えたガス注入構成を含み、前記分散室内に、前記プレートおよび前記壁に沿ってかつ離れて配置される少なくとも１つの格子部材を含み、前記格子部材は前記壁からおよび前記プレートから電気的に絶縁される、プラズマ反応器。
【請求項２】
前記２つの金属表面への電気エネルギ給送構成をさらに含み、前記壁と前記プレートとは互いに電気的に絶縁される、請求項１に記載のプラズマ反応器。
【請求項３】
前記壁は前記プレートの外縁部に向かってかつこれを越えてこれから離れて延在する側縁部分を含み、前記分散室は開口部構成によって前記側縁部分と前記プレートの外縁部との間の空間に通じており、前記開口部構成は、前記プレートに実質的に平行であって、かつ前記側縁部分に対して実質的に鉛直に延在する、請求項１または２に記載のプラズマ反応器。
【請求項４】
前記壁に沿って分散される前記ガス注入開口部の少なくともいくつかは、共通のガス供給線に接続され、前記ガス供給線と前記ガス供給線に接続される前記注入開口部の少なくとも大部分との間のガス流れ抵抗は等しい、請求項１から３のいずれかに記載のプラズマ反応器。
【請求項５】
前記プレート内に存在し、かつ前記プレートの外縁部の近傍に配置される前記ガス給送開口部の少なくともいくつかは、前記プレートにおいて前記プレートの外縁部からより離れて位置決めされる前記ガス給送開口部よりも大きな直径を有する、請求項１から４のいずれかに記載の反応器。
【請求項６】
前記プレートを貫通する前記ガス給送開口部の少なくとも一部は、取外し可能な流れ抵抗増加インサートと協働する、請求項１から５のいずれかに記載のプラズマ反応器。
【手続補正２】
【補正対象書類名】明細書
【補正対象項目名】００２７
【補正方法】変更
【補正の内容】
【００２７】
ＲＦ反応器３０は、後壁３１と、底壁３２と、側壁３４とを含む。第１の電極表面は、金属プレート４０の表面によって形成され、プラズマ放電空間３６に向けられる。この実施例においては、第２のプラズマ放電電極は特に、底壁３２の金属上面４２によって形成される。
【手続補正３】
【補正対象書類名】明細書
【補正対象項目名】００２９
【補正方法】変更
【補正の内容】
【００２９】
１  反応器外部から分散室４６へのガス注入構成４８の好ましいレイアウト
ガス注入構成４８は、予め定められた所望のパターンに分散される多数の注入開口部５０を含み、好ましくはこれらの多くは、分散室４６に対しては後壁として規定される後壁３１の表面に沿って均一に分散する。ツリー状構造において、開口部５０は中央ガス注入線５２と連通し、それにより、配管ツリーの５４、５６、５８の「ブランチ」の各々においては、開口部５０の各々と中央ガス注入線５２との間の流れ抵抗が予め定められた値を有し、かつ好ましい態様であって少なくとも開口部５０の大部分においては、等しい値を有するように、流れ抵抗は選択される。単一のガス注入口から多数ガス排出口への、そのようなツリー状の分散線のシステムの構築自体については、たとえば本願と同出願人の米国特許第５，６２２，６０６号を参照する。
【手続補正４】
【補正対象書類名】明細書
【補正対象項目名】００３０
【補正方法】変更
【補正の内容】
【００３０】
多数のガス注入開口部へのそのような縦続またはツリー型給送により、これを通って給送される処理ガスの組成の変更を瞬時に実現することができる。多数の開口部５０への給送を縦続する原理は、ガスを所与の数の予め定められた、好ましくは等しい、副流に分割することに基づく。分割するプロセスは、図２のブランチレベル５４から５８によって何度か繰返され、初期の流れを多数の副流に分割する。ツリー構造は開口部５０の所望のパターンに従って構築されるが、後者はプラズマ放電に晒される製品の形に応じて、それが方形であっても、円形であっても、適合されることが好ましい。図３においては、たとえば中央ガス注入線５２と開口部５０との間の接続線のそのようなツリー構造の例を斜視図で示す。
【手続補正５】
【補正対象書類名】明細書
【補正対象項目名】００３１
【補正方法】変更
【補正の内容】
【００３１】
分散室４６へのガス注入は、分散室４６に接する壁または後壁３１の表面に沿って分散される多数のガス注入開口部５０を通して実現されることから、プレート４０を通るプラズマ放電空間３６へのガス流制御の顕著な向上が達成される。これは、容量と特に分散室４６の高さＸの選択における顕著に向上した自由度を可能にする。図２に示すように、および好ましい態様においては、給送線の縦続は、この実施例においては分散室４６の後壁としての役割を果たす、この発明の反応器の後壁３１に一体化される。
【手続補正６】
【補正対象書類名】明細書
【補正対象項目名】００３３
【補正方法】変更
【補正の内容】
【００３３】
図２において、横向きに配置されたＲＦ給送を示す。特により大きな設備に対しては、中央給送が好ましい。これにより、１つ以上の給送線の中央ＲＦ給送が、後壁３１、分散室４６を通って金属プレート４０に給送される。
【手続補正７】
【補正対象書類名】明細書
【補正対象項目名】００３４
【補正方法】変更
【補正の内容】
【００３４】
分散室４６の後壁３１は、これにより、電極表面３８に与えられる電位から電気的に独立して、いずれの所望の電位においても動作することができる。こうして、分散室４６の後壁３１を、好ましい実施例においては基準電位で、特に接地電位で動作することが可能になり、これにより該後壁３１がプラズマ反応器槽の直接的な壁であることが実現化される。これは、この壁と縦続接続された注入開口部５０へのガス給送構造とを一体化させることを考慮した場合に最も有利であるが、ここで全体の流れ分割システムは接地電位であって、よってガスを外部から反応器槽３０に給送する中央ガス注入線５２と等しい電位である。分散室４６を区切る壁は、独自の電位にはなく、フルのプラズマ放電が電位を供給する場合の、異なった電位にある。特に分散されたガス注入開口部５０によって、分散室内に広がるガス圧力を顕著に減じることが可能になり、分散室内のスプリアスなプラズマ発火の発生が、その高さＸに到達した場合においても回避される。
【手続補正８】
【補正対象書類名】明細書
【補正対象項目名】００３７
【補正方法】変更
【補正の内容】
【００３７】
より正確には、電気的に浮動する格子の存在は、分散室４６内の空間におけるプラズマの発火の危険を冒すことなく、分散室４６の距離合計ｘを増すことが可能になる。それにより、横方向のガスコンダクタンスの全体が増大し、よって横方向のガス拡散も増大する。
【手続補正９】
【補正対象書類名】明細書
【補正対象項目名】００３８
【補正方法】変更
【補正の内容】
【００３８】
さらに、電気的に浮動する格子を、これを貫く限定された数の孔を備えたより電気的に浮動するプレートの形で実現化することは、図２に示すように、実際に後壁３１内で大域
的に縦続接続するマニホールドが分散室４６内で連続しかつ通過することにより、ガスの組織的な、良好に制御された分布に貢献する。
【手続補正１０】
【補正対象書類名】明細書
【補正対象項目名】００４０
【補正方法】変更
【補正の内容】
【００４０】
所与のガス圧力で、およびそのような空間を区切る電気導電性壁の間の所与の電位差での場合、スプリアスなプラズマの発火の傾向は、スプリアスな電極として作用する電気導電性壁の間の距離が広がるにつれて増大し、減じられた電位、すなわち全体の電位差の小部分で動作される副室４６ａ、ｂ、ｃの各々は、高さを増すことができ、こうして分散室４６の全体が、スプリアスなプラズマ発火の危険を冒すことなく、高さＸを増すことができる。
【手続補正１１】
【補正対象書類名】明細書
【補正対象項目名】００４５
【補正方法】変更
【補正の内容】
【００４５】
プレート４０の外縁部Ｐに向かって広がるにつれてガス給送開口部４４の表面領域ごとの密度を増大させる代わりに、またはそれに加えて、以下のように、分散室４６からプラズマ放電空間３６への付加的な開口部構成６６を設ける。
【手続補正１２】
【補正対象書類名】明細書
【補正対象項目名】００４６
【補正方法】変更
【補正の内容】
【００４６】
その一面で放電空間３６に接する後壁３１が縁部分６８に設けられるが、これは明確に別の部品であって、好ましい態様においては、反応器槽の側壁３４によって実現化することができる。この縁部分は、プレート４０の外縁部Ｐに向かって、かつこれを超えてそれらから離れて延在する。それにより、流れチャネル７０がプレート４０全体を取囲んで形成される。
【手続補正１３】
【補正対象書類名】明細書
【補正対象項目名】００４９
【補正方法】変更
【補正の内容】
【００４９】
５  プレート４０および貫通する開口部分散の有利な実現化
図４に示すように、プレート４０を通るガス給送開口部４４の最も有利な実現化は、プラズマ放電空間３６に面して存在する、プレート４０のその面に窪み７２を機械加工することにより行なわれる。そのような窪み７２は、その上面図において、円形や方形などであってもよく、連続するかまたは限定されない溝型であってもよい。そのような窪み７２の底部７４においては、プラズマ放電空間３６への小さな直径の開口部４４が機械加工される。それにより、小さな直径の開口部４４を加工するためには、プレート４０の全体の厚みのごく一部だけが加工される。
【手続補正１４】
【補正対象書類名】明細書
【補正対象項目名】００５１
【補正方法】変更
【補正の内容】
【００５１】
それにより、およびそのような窪み、すなわち溝または大きな直径の窪み７２のコンセプトに従って、分散室４６からプラズマ放電空間３６への流れ抵抗を、図５に示すように、そのような窪みに加えられるインサート７８によって開口部４４で変化させ、かつ正確に調整することが可能である。図４の７２などの窪みのコンセプトに従って、および図６に示すように、プレート４０に沿って開口部の密度を、非常に高密度のおそらくはより直径を減じた開口部４４ａにまで、特にプレート４０の外縁部Ｐへ向かって増大させることは、製造上問題にはならない。